(57)【要約】【課題】  物理セキュリティとサイバーセキュリティの統合管理による認証の強化を図ることが可能な入退室管理システム及び管理サーバの提供。【解決手段】  入退室管理システムＳは、錠前装置Ｋと入室者認証入力装置１とパソコン２と管理サーバＳＶとからなる。錠前装置Ｋ，入室者認証入力装置１，パソコン２と管理サーバＳＶとをネットワークＮＷを介して接続する。錠前装置Ｋが管理サーバＳＶの入室者認証結果に応じて部屋Ｒの開閉可能な扉Ｄの解錠を行う。部屋Ｒ内に設置されたパソコン２が管理サーバＳＶのログイン認証結果に応じて使用可能となる。管理サーバＳＶが錠前装置Ｋ及びパソコン２の管理を行うと共に、入室者認証及びログイン認証を行う。ログイン認証許可が与えられた部屋Ｒに入室した入室者のみにパソコン２へのログインを認める。【選択図】        図１
2006348675.tif 000002
【特許請求の範囲】
【請求項１】
部屋の開閉可能な扉に取付けられた錠前装置と、前記部屋への入室者の認証入力を行う入室者認証入力装置と、前記部屋内に設置された利用者端末と、前記錠前装置と前記入室者認証入力装置と前記利用者端末にネットワークを介して接続された管理サーバとからなり、前記部屋への入室及び前記部屋からの退室を行う入退室者の入退室を管理するシステムであって、
前記錠前装置は、前記管理サーバの入室者認証結果に応じて前記扉の解錠を行い、前記利用者端末は、前記管理サーバのログイン認証結果に応じて使用可能となり、前記管理サーバは、前記錠前装置及び前記利用者端末の管理を行い、前記入室者認証及び前記ログイン認証を行うことを特徴とする入退室管理システム。
【請求項２】
上記入室者認証入力装置は、上記部屋への入室者の入室者認証情報を入力する入室者認証情報入力手段と、入力された入室者認証情報を上記管理サーバに送信する入室者認証情報送信手段とを備え、上記利用者端末は、ログイン認証情報を入力するログイン認証情報入力手段と、入力されたログイン認証情報を前記管理サーバに送信するログイン認証情報送信手段とを備え、前記管理サーバは、受信した入室者認証情報により前記部屋への入室の許可を判断する入室許可判断手段と、受信したログイン認証情報が入室者認証情報と同一人物のものである時、前記利用者端末へのログインを許可するログイン許可手段とを備えている請求項１に記載の入退室管理システム。
【請求項３】
上記管理サーバは、統合管理データベースを有し、入退室の認証を行う入退室認証手段と、上記部屋への入室者の入室状態の有無と上記利用者端末へのログインの権限の有無とで前記利用者端末へのログインの認証を行うログイン認証手段と、前記部屋への入室及び前記部屋からの退室の入退室履歴を前記統合管理データベースに登録する入退室履歴登録手段と、前記利用者端末へのログイン履歴を前記統合管理データベースに登録するログイン履歴登録手段とを備えている請求項１または２に記載の入退室管理システム。
【請求項４】
上記管理サーバは、上記部屋への入室者が上記利用者端末のログアウトを行わない場合、上記錠前装置を施錠状態に維持する施錠状態維持手段を備えている請求項１乃至３のいずれかに記載の入退室管理システム。
【請求項５】
部屋の開閉可能な扉に取付けられた第１の錠前装置と、前記部屋への入室者の認証入力を行う入室者認証入力装置と、前記部屋内に設置された物品保管庫の開閉扉に取付けられた第２の錠前装置と、前記物品保管庫の開閉扉の開閉の認証入力を行う扉開閉認証入力装置と、前記第１の錠前装置と前記入室者認証入力装置と前記第２の錠前装置と前記扉開閉認証入力装置にネットワークを介して接続された管理サーバとからなり、前記部屋への入室及び前記部屋からの退室を行う入退室者の入退室を管理するシステムであって、
前記第１の錠前装置は、前記管理サーバの入室者認証結果に応じて前記扉の解錠を行い、前記第２の錠前装置は、前記管理サーバの扉開閉認証結果に応じて前記物品保管庫の開閉扉の解錠を行い、前記管理サーバは、前記第１の錠前装置及び前記第２の錠前装置の管理を行い、前記入室者認証及び前記扉開閉認証を行うことを特徴とする入退室管理システム。
【請求項６】
上記入室者認証入力装置は、上記部屋への入室者の入室者認証情報を入力する入室者認証情報入力手段と、入力された入室者認証情報を上記管理サーバに送信する入室者認証情報送信手段とを備え、上記扉開閉認証入力装置は、上記物品保管庫の開閉扉の扉開閉認証情報を入力する扉開閉認証情報入力手段と、入力された扉開閉認証情報を前記管理サーバに送信する扉開閉認証情報送信手段とを備え、前記管理サーバは、受信した入室者認証情報により前記部屋への入室の許可を判断する入室許可判断手段と、受信した扉開閉認証情報が入室者認証情報と同一人物のものである時、上記第２の錠前装置を解錠して前記物品保管庫の開閉扉の開閉を許可する扉開閉許可手段とを備えている請求項５に記載の入退室管理システム。
【請求項７】
上記管理サーバは、統合管理データベースを有し、入退室の認証を行う入退室認証手段と、上記部屋への入室者の入室状態の有無と上記物品保管庫の開閉扉の開閉の権限の有無とで前記物品保管庫の開閉扉の解錠の認証を行う扉解錠認証手段と、前記部屋への入室及び前記部屋からの退室の入退室履歴を前記統合管理データベースに登録する入退室履歴登録手段と、前記物品保管庫の開閉扉の扉解錠履歴を前記統合管理データベースに登録する扉解錠履歴登録手段とを備えている請求項５または６に記載の入退室管理システム。
【請求項８】
上記管理サーバは、上記部屋への入室者が上記物品保管庫の開閉扉の上記第２の錠前装置による施錠を行わない場合、上記第１の錠前装置を施錠状態に維持する施錠状態維持手段を備えている請求項５乃至７のいずれかに記載の入退室管理システム。
【請求項９】
部屋の開閉可能な扉に取付けられた錠前装置及び前記部屋内に設置された利用者端末とそれぞれネットワーク接続され、前記錠前装置及び前記利用者端末の管理を行い、前記部屋への入室者の入室者認証及び前記利用者端末へのログイン認証を行うことを特徴とする管理サーバ。
【請求項１０】
部屋の開閉可能な扉に取付けられた第１の錠前装置及び前記部屋内に設置された物品保管庫の開閉扉に取付けられた第２の錠前装置とそれぞれネットワーク接続され、前記第１の錠前装置及び前記第２の錠前装置の管理を行い、前記部屋への入室者の入室者認証及び前記物品保管庫の開閉扉の開閉の扉開閉認証を行うことを特徴とする管理サーバ。
【発明の詳細な説明】
【技術分野】
【０００１】
本発明は、入退室管理に代表される物理セキュリティのログとデータアクセスに代表されるサイバーセキュリティのログを統合管理することにより、認証レベルを向上させる入退室管理システム及び管理サーバに関するものである。
【背景技術】
【０００２】
近年、情報の増加と共に情報漏洩事件も増加しており、特に、内部犯行への対策が重要視されている。
【０００３】
また、入退室管理あるいはデータへのアクセス管理などの措置により、情報漏洩対策の導入を検討する動きが盛んになっている。
【０００４】
従来、部屋への入室及び部屋からの退室を行う入退室者の入退室を管理する入退室管理システムが提案されている（例えば、特許文献１，特許文献２参照）。
【特許文献１】特開２００４−３０２８７５号公報
【特許文献２】特開２００５−８３０７８号公報
【発明の開示】
【発明が解決しようとする課題】
【０００５】
しかし、パソコンへのログイン／データアクセス／物品管理のＩＤやパスワードの貸し借り（あるいは盗難）が、重要な情報／物品の流出へとつながるケースがあった。
【０００６】
そこで、本発明の目的は、上記の事情に鑑みてなされたものであって、管理サーバが部屋への入室者認証と利用者端末へのログイン認証／施錠された物品管理庫の開閉扉の扉開閉認証を行い、入室者が部屋に入室しても利用者端末へのログイン認証許可／物品管理庫の開閉扉の扉開閉認証許可が与えられなければ、利用者端末へのログインやデータアクセス／施錠された物品管理庫の開閉扉の開閉が行えないので、重要な情報／物品の盗難・流出を確実に防止することができ、権限のあるＩＤやパスワードを使用した場合であっても、入退室認証許可がなければ、利用者端末へのログイン認証許可／物品管理庫の開閉扉の扉開閉認証許可を与えず、なりすましによる情報／物品の盗難・流出を防ぎ、入退室管理の物理セキュリティと利用者端末へのログインやデータアクセス管理などのサイバーセキュリティ／物品管理のセキュリティの強化を図ることができ、利用者端末のログアウト／物品管理庫の開閉扉の施錠していない人物が部屋から退室しようとしても出られないようにすることができ、入退室管理に代表される物理セキュリティのログとデータアクセスに代表されるサイバーセキュリティのログを統合管理することにより、認証レベルを向上させることが可能な入退室管理システム及び管理サーバを提供することにある。
【課題を解決するための手段】
【０００７】
本発明の入退室管理システムは、部屋の開閉可能な扉に取付けられた錠前装置と、前記部屋への入室者の認証入力を行う入室者認証入力装置と、前記部屋内に設置された利用者端末と、前記錠前装置と前記入室者認証入力装置と前記利用者端末にネットワークを介して接続された管理サーバとからなり、前記部屋への入室及び前記部屋からの退室を行う入退室者の入退室を管理するシステムであって、前記錠前装置が、前記管理サーバの入室者認証結果に応じて前記扉の解錠を行い、前記利用者端末が、前記管理サーバのログイン認証結果に応じて使用可能となり、前記管理サーバが、前記錠前装置及び前記利用者端末の管理を行い、前記入室者認証及び前記ログイン認証を行うことを特徴とする構成を有するものである。
【０００８】
本発明の入退室管理システムは、上記入室者認証入力装置が、上記部屋への入室者の入室者認証情報を入力する入室者認証情報入力手段と、入力された入室者認証情報を上記管理サーバに送信する入室者認証情報送信手段とを備え、上記利用者端末が、ログイン認証情報を入力するログイン認証情報入力手段と、入力されたログイン認証情報を前記管理サーバに送信するログイン認証情報送信手段とを備え、前記管理サーバが、受信した入室者認証情報により前記部屋への入室の許可を判断する入室許可判断手段と、受信したログイン認証情報が入室者認証情報と同一人物のものである時、前記利用者端末へのログインを許可するログイン許可手段とを備えている。
【０００９】
本発明の入退室管理システムは、上記管理サーバが、統合管理データベースを有し、入退室の認証を行う入退室認証手段と、上記部屋への入室者の入室状態の有無と上記利用者端末へのログインの権限の有無とで前記利用者端末へのログインの認証を行うログイン認証手段と、前記部屋への入室及び前記部屋からの退室の入退室履歴を前記統合管理データベースに登録する入退室履歴登録手段と、前記利用者端末へのログイン履歴を前記統合管理データベースに登録するログイン履歴登録手段とを備えている。
【００１０】
本発明の入退室管理システムは、上記管理サーバが、上記部屋への入室者が上記利用者端末のログアウトを行わない場合、上記錠前装置を施錠状態に維持する施錠状態維持手段を備えている。
【００１１】
本発明の入退室管理システムは、部屋の開閉可能な扉に取付けられた第１の錠前装置と、前記部屋への入室者の認証入力を行う入室者認証入力装置と、前記部屋内に設置された物品保管庫の開閉扉に取付けられた第２の錠前装置と、前記物品保管庫の開閉扉の開閉の認証入力を行う扉開閉認証入力装置と、前記第１の錠前装置と前記入室者認証入力装置と前記第２の錠前装置と前記扉開閉認証入力装置にネットワークを介して接続された管理サーバとからなり、前記部屋への入室及び前記部屋からの退室を行う入退室者の入退室を管理するシステムであって、前記第１の錠前装置が、前記管理サーバの入室者認証結果に応じて前記扉の解錠を行い、前記第２の錠前装置が、前記管理サーバの扉開閉認証結果に応じて前記物品保管庫の開閉扉の解錠を行い、前記管理サーバが、前記第１の錠前装置及び前記第２の錠前装置の管理を行い、前記入室者認証及び前記扉開閉認証を行うことを特徴とする構成を有するものである。
【００１２】
本発明の入退室管理システムは、上記入室者認証入力装置が、上記部屋への入室者の入室者認証情報を入力する入室者認証情報入力手段と、入力された入室者認証情報を上記管理サーバに送信する入室者認証情報送信手段とを備え、上記扉開閉認証入力装置が、上記物品保管庫の開閉扉の扉開閉認証情報を入力する扉開閉認証情報入力手段と、入力された扉開閉認証情報を前記管理サーバに送信する扉開閉認証情報送信手段とを備え、前記管理サーバが、受信した入室者認証情報により前記部屋への入室の許可を判断する入室許可判断手段と、受信した扉開閉認証情報が入室者認証情報と同一人物のものである時、上記第２の錠前装置を解錠して前記物品保管庫の開閉扉の開閉を許可する扉開閉許可手段とを備えている。
【００１３】
本発明の入退室管理システムは、上記管理サーバが、統合管理データベースを有し、入退室の認証を行う入退室認証手段と、上記部屋への入室者の入室状態の有無と上記物品保管庫の開閉扉の開閉の権限の有無とで前記物品保管庫の開閉扉の解錠の認証を行う扉解錠認証手段と、前記部屋への入室及び前記部屋からの退室の入退室履歴を前記統合管理データベースに登録する入退室履歴登録手段と、前記物品保管庫の開閉扉の扉解錠履歴を前記統合管理データベースに登録する扉解錠履歴登録手段とを備えている。
【００１４】
本発明の入退室管理システムは、上記管理サーバが、上記部屋への入室者が上記物品保管庫の開閉扉の上記第２の錠前装置による施錠を行わない場合、上記第１の錠前装置を施錠状態に維持する施錠状態維持手段を備えている。
【００１５】
本発明の管理サーバは、部屋の開閉可能な扉に取付けられた錠前装置及び前記部屋内に設置された利用者端末とそれぞれネットワーク接続され、前記錠前装置及び前記利用者端末の管理を行い、前記部屋への入室者の入室者認証及び前記利用者端末へのログイン認証を行うことを特徴とする構成を有するものである。
【００１６】
本発明の管理サーバは、部屋の開閉可能な扉に取付けられた第１の錠前装置及び前記部屋内に設置された物品保管庫の開閉扉に取付けられた第２の錠前装置とそれぞれネットワーク接続され、前記第１の錠前装置及び前記第２の錠前装置の管理を行い、前記部屋への入室者の入室者認証及び前記物品保管庫の開閉扉の開閉の扉開閉認証を行うことを特徴とする構成を有するものである。
【発明の効果】
【００１７】
以上に述べたように、本発明によれば、管理サーバが部屋への入室者認証と利用者端末へのログイン認証／施錠された物品管理庫の開閉扉の扉開閉認証を行い、入室者が部屋に入室しても利用者端末へのログイン認証許可／物品管理庫の開閉扉の扉開閉認証許可が与えられなければ、利用者端末へのログインやデータアクセス／施錠された物品管理庫の開閉扉の開閉が行えないので、重要な情報／物品の盗難・流出を確実に防止することができ、権限のあるＩＤやパスワードを使用した場合であっても、入退室認証許可がなければ、利用者端末へのログイン認証許可／物品管理庫の開閉扉の扉開閉認証許可を与えず、なりすましによる情報／物品の盗難・流出を防ぎ、入退室管理の物理セキュリティと利用者端末へのログインやデータアクセス管理などのサイバーセキュリティ／物品管理のセキュリティの強化を図ることができ、利用者端末のログアウト／物品管理庫の開閉扉の施錠していない人物が部屋から退室しようとしても出られないようにすることができ、入退室管理に代表される物理セキュリティのログとデータアクセスに代表されるサイバーセキュリティのログを統合管理することにより、認証レベルを向上させることが可能な入退室管理システム及び管理サーバを得ることができる。
【発明を実施するための最良の形態】
【００１８】
以下、本発明を実施するための最良の形態を図面を参照して詳細に説明する。
【実施例】
【００１９】
図１は、本発明の第１の実施例に係る入退室管理システムを示すシステム構成図である。
本発明の入退室管理システムＳは、部屋Ｒの開閉可能な扉Ｄに取付けられた錠前装置Ｋと、部屋Ｒへの入室者の認証入力を行う入室者認証入力装置１と、部屋Ｒ内に設置された利用者端末であるパソコン（Ｐｅｒｓｏｎａｌ  Ｃｏｍｐｕｔｅｒ；ＰＣ）２と、錠前装置Ｋと入室者認証入力装置１とパソコン２にネットワークＮＷを介して接続された管理サーバＳＶとからなり、部屋Ｒへの入室及び部屋Ｒからの退室を行う入退室者の入退室を管理するシステムである。
【００２０】
本発明の入退室管理システムＳは、錠前装置Ｋが、管理サーバＳＶの入室者認証結果に応じて扉Ｄの解錠を行うようになっている。
【００２１】
本発明の入退室管理システムＳは、パソコン２が、管理サーバＳＶのログイン認証結果に応じて使用可能となる。
【００２２】
本発明の入退室管理システムＳは、管理サーバＳＶが、錠前装置Ｋ及びパソコン２の管理を行い、入室者認証及びログイン認証を行うようになっている。
【００２３】
本発明の入退室管理システムＳは、入室者認証入力装置１が、部屋Ｒへの入室者の入室者認証情報を入力する入室者認証情報入力手段と、入力された入室者認証情報を管理サーバＳＶに送信する入室者認証情報送信手段とを備えている。
【００２４】
本発明の入退室管理システムＳは、パソコン２が、ログイン認証情報を入力するログイン認証情報入力手段と、入力されたログイン認証情報を管理サーバＳＶに送信するログイン認証情報送信手段とを備えている。
【００２５】
本発明の入退室管理システムＳは、管理サーバＳＶが、受信した入室者認証情報により部屋Ｒへの入室の許可を判断する入室許可判断手段と、受信したログイン認証情報が入室者認証情報と同一人物のものである時、パソコン２へのログインを許可するログイン許可手段とを備えている。
【００２６】
本発明の入退室管理システムＳは、管理サーバＳＶが、統合管理データベース（Ｄａｔａ  Ｂａｓｅ；ＤＢ）３を有している。
【００２７】
本発明の入退室管理システムＳは、管理サーバＳＶが、入退室の認証を行う入退室認証手段と、部屋Ｒへの入室者の入室状態の有無とパソコン２へのログインの権限の有無とでパソコン２へのログインの認証を行うログイン認証手段と、部屋Ｒへの入室及び部屋Ｒからの退室の入退室履歴を統合管理データベース３に登録する入退室履歴登録手段と、パソコン２へのログイン履歴を統合管理データベース３に登録するログイン履歴登録手段とを備えている。
【００２８】
本発明の入退室管理システムＳは、管理サーバＳＶが、部屋Ｒへの入室者がパソコン２のログアウトを行わない場合、錠前装置Ｋを施錠状態に維持する施錠状態維持手段を備えている。
【００２９】
本発明の管理サーバは、部屋Ｒの開閉可能な扉Ｄに取付けられた錠前装置Ｋ及び部屋Ｒ内に設置されたパソコン２とそれぞれネットワーク接続され、錠前装置Ｋ及びパソコン２の管理を行い、部屋Ｒへの入室者の入室者認証及びパソコン２へのログイン認証を行うものである。
【００３０】
部屋Ｒの出入口には、図１に示すように、扉Ｄが開閉自在に配設され、扉Ｄには、電気錠などの錠前装置Ｋが取付けられている。
【００３１】
錠前装置Ｋと管理サーバＳＶとは、ネットワークＮＷで接続されている。
【００３２】
扉Ｄの近傍には、入室者認証入力装置１が配設されている。
【００３３】
入室者認証入力装置１と管理サーバＳＶとは、ネットワークＮＷで接続されている。
【００３４】
部屋Ｒの室内には、パソコン２が設置されている。
【００３５】
パソコン２と管理サーバＳＶとは、ネットワークＮＷで接続されている。
【００３６】
入退室管理システムＳの管理サーバＳＶは、入退室者の入退室の認証を行う入退室認証手段と、パソコン２へのログインの認証を行うログイン認証手段とを備えている。
【００３７】
入退室管理システムＳの管理サーバＳＶは、入退室認証とパソコン２へのログイン認証の統合管理データベース３を有している。
ログイン認証では、ログイン権限の有無及び入室状態の有無を合わせて認証を行う。
【００３８】
パソコン２へのログインやデータアクセスを行う場合において、部屋Ｒへの入室履歴を参照する。
【００３９】
部屋Ｒへの入室履歴を参照することで、パソコン２へのログイン権限のあるユーザＩＤやパスワードを使用した場合であっても、パソコン２へのログイン認証の許可を与えず、なりすましによる重要な情報の盗難・流出を防ぐ。
【００４０】
入退室履歴とログイン履歴を相互に参照することにより、パソコン２のログアウトをしていない人物が部屋Ｒから退室しようとしても出られない／警告を鳴らす等の措置をとる。
【００４１】
上記入退室管理システムＳにより、離席時に他人による重要な情報の盗難を防ぐ。
【００４２】
さらに、入退室履歴とログイン履歴を双方向でチェックすることにより、データアクセスに関してセキュリティを強化する。
【００４３】
図２は、本発明の第１の実施例に係る入退室管理システムおける入室認証，ログイン認証及び統合管理データベースへの入室履歴登録，ログイン履歴登録の基本処理の流れを説明するフローチャート図である。
ステップＳ１００でスタートした入室認証処理は、まず、部屋Ｒへの入室の許可の有無を判断する（ステップＳ１０１）。
【００４４】
ここで、部屋Ｒへの入室の許可が有る場合は（ステップＳ１０１“Ｙｅｓ”）、管理サーバＳＶが錠前装置Ｋを解錠し（ステップＳ１０２）、その後、入室履歴の統合管理データベース３への登録が行われる。
【００４５】
ステップＳ２００でスタートしたパソコン２へのログイン認証処理は、まず、部屋Ｒへの入室者がパソコン２へのログイン操作を行い（ステップＳ２０１）、統合管理データベース３に登録した入室履歴を参照し、次いで、入室者が部屋Ｒへ入室しているかを判断する（ステップＳ２０２）。
【００４６】
ここで、入室者が部屋Ｒへ入室している場合は（ステップＳ２０２“Ｙｅｓ”）、パソコン２へのログイン権限が有るかを判断する（ステップＳ２０３）。
【００４７】
また、入室者が部屋Ｒへ入室していない場合は（ステップＳ２０２“Ｎｏ”）、ステップＳ２０１に戻る。
【００４８】
ここで、パソコン２へのログイン権限が有る場合は（ステップＳ２０３“Ｙｅｓ”）、パソコン２へのログインを行い（ステップＳ２０４）、その後、ログイン履歴の統合管理データベース３への登録が行われる。
【００４９】
また、パソコン２へのログイン権限が無い場合は（ステップＳ２０３“Ｎｏ”）、ステップＳ２０１に戻る。
【００５０】
ステップＳ３００でスタートした入室履歴及びログイン履歴の統合管理データベース３への登録処理は、まず、入室認証処理において錠前装置Ｋの解錠が行われると、管理サーバＳＶが入室履歴を統合管理データベース３に登録し（ステップＳ３０１）、次いで、ログイン認証処理においてパソコン２へのログイン権限が有ると判断されると、管理サーバＳＶがログイン履歴を統合管理データベース３に登録する（ステップＳ３０２）。
【００５１】
部屋Ｒからの退室は、まず、パソコン２のログアウト認証処理が行われ、部屋Ｒに入室した入室者がパソコン２へのログアウト操作を行い、管理サーバＳＶがパソコン２のログアウト認証を行った後、パソコン２のログアウトを行う。
【００５２】
その後、退室認証処理を行い、部屋Ｒからの退室の許可があれば、管理サーバＳＶが錠前装置Ｋを解錠し、入室者は部屋Ｒからの退室を行う。
【００５３】
図３は、本発明の第２の実施例に係る入退室管理システムを示すシステム構成図である。
本発明の入退室管理システムＳは、部屋Ｒの開閉可能な扉Ｄ１に取付けられた第１の錠前装置Ｋ１と、部屋Ｒへの入室者の認証入力を行う入室者認証入力装置１と、部屋Ｒ内に設置された物品保管庫である物品棚４の開閉扉Ｄ２に取付けられた第２の錠前装置Ｋ２と、物品棚４の開閉扉Ｄ２の開閉の認証入力を行う扉開閉認証入力装置５と、第１の錠前装置Ｋ１と入室者認証入力装置１と第２の錠前装置Ｋ２と扉開閉認証入力装置５にネットワークＮＷを介して接続された管理サーバＳＶとからなり、部屋Ｒへの入室及び部屋Ｒからの退室を行う入退室者の入退室を管理するシステムである。
【００５４】
本発明の入退室管理システムＳは、第１の錠前装置Ｋ１が、管理サーバＳＶの入室者認証結果に応じて扉Ｄ１の解錠を行うようになっている。
【００５５】
本発明の入退室管理システムＳは、第２の錠前装置Ｋ２が、管理サーバＳＶの扉開閉認証結果に応じて物品棚４の開閉扉Ｄ２の解錠を行うようになっている。
【００５６】
本発明の入退室管理システムＳは、管理サーバＳＶが、第１の錠前装置Ｋ１及び第２の錠前装置Ｋ２の管理を行い、入室者認証及び扉開閉認証を行うようになっている。
【００５７】
本発明の入退室管理システムＳは、入室者認証入力装置１が、部屋Ｒへの入室者の入室者認証情報を入力する入室者認証情報入力手段と、入力された入室者認証情報を管理サーバＳＶに送信する入室者認証情報送信手段とを備えている。
【００５８】
本発明の入退室管理システムＳは、扉開閉認証入力装置５が、物品棚４の開閉扉Ｄ２の扉開閉認証情報を入力する扉開閉認証情報入力手段と、入力された扉開閉認証情報を管理サーバＳＶに送信する扉開閉認証情報送信手段とを備えている。
【００５９】
本発明の入退室管理システムＳは、管理サーバＳＶが、受信した入室者認証情報により部屋Ｒへの入室の許可を判断する入室許可判断手段と、受信した扉開閉認証情報が入室者認証情報と同一人物のものである時、第２の錠前装置Ｋ２を解錠して物品棚４の開閉扉Ｄ２の開閉を許可する扉開閉許可手段とを備えている。
【００６０】
本発明の入退室管理システムＳは、管理サーバＳＶが、統合管理データベース３を有している。
【００６１】
本発明の入退室管理システムＳは、管理サーバＳＶが、入退室の認証を行う入退室認証手段と、部屋Ｒへの入室者の入室状態の有無と物品棚４の開閉扉Ｄ２の開閉の権限の有無とで物品棚４の開閉扉Ｄ２の解錠の認証を行う扉解錠認証手段と、部屋Ｒへの入室及び部屋Ｒからの退室の入退室履歴を統合管理データベース３に登録する入退室履歴登録手段と、物品棚４の開閉扉Ｄ２の扉解錠履歴を統合管理データベース３に登録する扉解錠履歴登録手段とを備えている。
【００６２】
本発明の入退室管理システムＳは、管理サーバＳＶが、部屋Ｒへの入室者が物品棚４の開閉扉Ｄ２の第２の錠前装置Ｋ２による施錠を行わない場合、第１の錠前装置Ｋ１を施錠状態に維持する施錠状態維持手段を備えている。
【００６３】
本発明の管理サーバは、部屋Ｒの開閉可能な扉Ｄ１に取付けられた第１の錠前装置Ｋ１及び部屋Ｒ内に設置された物品棚４の開閉扉Ｄ２に取付けられた第２の錠前装置Ｋ２とそれぞれネットワーク接続され、第１の錠前装置Ｋ１及び第２の錠前装置Ｋ２の管理を行い、部屋Ｒへの入室者の入室者認証及び物品棚４の開閉扉Ｄ２の開閉の扉開閉認証を行うものである。
【００６４】
部屋Ｒの出入口には、図３に示すように、扉Ｄ１が開閉自在に配設され、扉Ｄ１には、電気錠などの第１の錠前装置Ｋ１が取付けられている。
【００６５】
第１の錠前装置Ｋ１と管理サーバＳＶとは、ネットワークＮＷで接続されている。
【００６６】
扉Ｄ１の近傍には、入室者認証入力装置１が配設されている。
【００６７】
入室者認証入力装置１と管理サーバＳＶとは、ネットワークＮＷで接続されている。
【００６８】
部屋Ｒの室内には、物品棚４が設置され、物品棚４の開閉扉Ｄ２には、電気錠などの第２の錠前装置Ｋ２が取付けられている。
【００６９】
第２の錠前装置Ｋ２と管理サーバＳＶとは、ネットワークＮＷで接続されている。
【００７０】
物品棚４には、扉開閉認証入力装置５が配設されている。
【００７１】
扉開閉認証入力装置５と管理サーバＳＶとは、ネットワークＮＷで接続されている。
【００７２】
入退室管理システムＳの管理サーバＳＶは、入退室者の入退室の認証を行う入退室認証手段と、電気施錠された物品棚４の開閉扉Ｄ２の解錠の認証を行う扉解錠認証手段とを備えている。
【００７３】
入退室管理システムＳの管理サーバＳＶは、入退室認証と扉解錠認証の統合管理データベース３を有している。
扉解錠認証では、扉解錠権限の有無及び入室状態の有無を合わせて認証を行う。
【００７４】
電気施錠された物品棚４の開閉扉Ｄ２の開閉の認証（あるいはそれに準ずる認証行為）を行う場合において、部屋Ｒへの入室履歴を参照する。
【００７５】
部屋Ｒへの入室履歴を参照することで、物品棚４の開閉扉Ｄ２の扉解錠権限のある利用者ＩＤやパスワードを使用した場合であっても、扉解錠認証の許可を与えず、なりすましによる物品の盗難・流失を防ぐ。
【００７６】
入退室履歴と扉解錠履歴を相互に参照することにより、物品棚４の開閉扉Ｄ２の施錠をしていない人物が部屋Ｒから退室しようとしても出られない／警告を鳴らすなどの措置をとる。
【００７７】
上記入退室管理システムＳにより、離席時に他人による物品の盗難を防ぐ。
【００７８】
さらに、入退室履歴と扉解錠履歴を双方向でチェックすることにより、物品管理に関してセキュリティを強化する。
【００７９】
図４は、本発明の第２の実施例に係る入退室管理システムにおける入室認証，扉解錠認証及び統合管理データベースへの入室履歴登録，扉解錠履歴登録の基本処理の流れを説明するフローチャート図である。
ステップＳ４００でスタートした入室認証処理は、まず、部屋Ｒへの入室の許可の有無を判断する（ステップＳ４０１）。
【００８０】
ここで、部屋Ｒへの入室の許可が有る場合は（ステップＳ４０１“Ｙｅｓ”）、管理サーバＳＶが第１の錠前装置Ｋ１を解錠し（ステップＳ４０２）、その後、入室履歴の統合管理データベース３への登録が行われる。
【００８１】
ステップＳ５００でスタートした扉解錠認証処理は、まず、部屋Ｒへの入室者が電気施錠された物品棚４の開閉扉Ｄ２の扉解錠操作を行い（ステップＳ５０１）、統合管理データベース３に登録した入室履歴を参照し、次いで、入室者が部屋Ｒへ入室しているかを判断する（ステップＳ５０２）。
【００８２】
ここで、入室者が部屋Ｒへ入室している場合は（ステップＳ５０２“Ｙｅｓ”）、電気施錠された物品棚４の開閉扉Ｄ２の扉解錠権限が有るかを判断する（ステップＳ５０３）。
【００８３】
また、入室者が部屋Ｒへ入室していない場合は（ステップＳ５０２“Ｎｏ”）、ステップＳ５０１に戻る。
【００８４】
ここで、電気施錠された物品棚４の開閉扉Ｄ２の扉解錠権限が有る場合は（ステップＳ５０３“Ｙｅｓ”）、管理サーバＳＶが第２の錠前装置Ｋ２を解錠し（ステップＳ５０４）、その後、扉解錠履歴の統合管理データベース３への登録が行われる。
【００８５】
また、電気施錠された物品棚４の開閉扉Ｄ２の扉解錠権限が無い場合は（ステップＳ５０３“Ｎｏ”）、ステップＳ５０１に戻る。
【００８６】
ステップＳ６００でスタートした入室履歴及び扉解錠履歴の統合管理データベース３への登録処理は、まず、入室認証処理において第１の錠前装置Ｋの解錠が行われると、管理サーバＳＶが入室履歴を統合管理データベース３に登録し（ステップＳ６０１）、次いで、扉解錠認証処理において第２の錠前装置Ｋ２の解錠が行われると、管理サーバＳＶが扉解錠履歴を統合管理データベース３に登録する（ステップＳ６０２）。
【００８７】
部屋Ｒからの退室は、まず、物品棚４の開閉扉Ｄ２の扉施錠認証処理が行われ、部屋Ｒに入室した入室者が物品棚４の開閉扉Ｄ２の扉施錠操作を行い、管理サーバＳＶが物品棚４の開閉扉Ｄ２の扉施錠認を行った後、管理サーバＳＶが第２の錠前装置Ｋ２を施錠する。
【００８８】
その後、退室認証処理を行い、部屋Ｒからの退室の許可があれば、管理サーバＳＶが第１の錠前装置Ｋ１を解錠し、入室者は部屋Ｒからの退室を行う。
【図面の簡単な説明】
【００８９】
【図１】本発明の第１の実施例に係る入退室管理システムを示すシステム構成図。
【図２】本発明の第１の実施例に係る入退室管理システムおける入室認証，ログイン認証及び統合管理データベースへの入室履歴登録，ログイン履歴登録の基本処理の流れを説明するフローチャート図。
【図３】本発明の第２の実施例に係る入退室管理システムを示すシステム構成図。
【図４】本発明の第２の実施例に係る入退室管理システムにおける入室認証，扉解錠認証及び統合管理データベースへの入室履歴登録，扉解錠履歴登録の基本処理の流れを説明するフローチャート図。
【符号の説明】
【００９０】
１  入室者認証入力装置
２  パソコン（利用者端末）
３  統合管理データベース
４  物品棚（物品保管庫）
５  扉開閉認証入力装置
Ｄ  扉
Ｄ１  扉
Ｄ２  開閉扉
Ｋ  錠前装置
Ｋ１  第１の錠前装置
Ｋ２  第２の錠前装置
ＮＷ  ネットワーク
Ｒ  部屋
ＳＶ  管理サーバ
Ｓ  入退室管理システム
【図１】
2006348675.tif 000003
【図２】
2006348675.tif 000004
【図３】
2006348675.tif 000005
【図４】
2006348675.tif 000006